(57)【要約】【課題】  学校の生徒が毎日通学する際の持参品に関し、予め持参品の登録マスタを用意しなくても、所定時間内に収集された生徒側からの持参品情報をもとに、忘れ物がチェックできる持参品管理システムの提供を目的とする。【解決手段】  インターネットを介して生徒側の持参品チェック端末と接続し、生徒が学校に登校する以前に、前記持参品チェック端末から、物品に備わる電子タグの読取情報を取得し、取得した持参品データをもとに、生徒毎に、生徒識別子を添えて、物品番号およびチェック時刻を記憶させ、所定時間内に生徒側の持参品チェック端末から収集された物品データを集計して、一定割合以上の生徒が持参する物品を必須持参品と判定し、設定した物品が持参品として欠落が判明した生徒に対し、生徒または親が所持する携帯電話、あるいは持参品チェック端末に忘れ物として通知することを特徴とする持参品管理方法。【選択図】図１
2005115539.tif 000002
【特許請求の範囲】
【請求項１】
インターネットを介して生徒側の持参品チェック端末と接続し、該持参品を管理する持参品管理サーバにおける持参品管理方法であって、
生徒が学校に登校する以前に、前記持参品チェック端末から、物品に備わる電子タグの読取情報を取得する持参品情報取得ステップと、
前記持参品情報取得ステップで取得した持参品データをもとに、生徒毎に、生徒識別子を添えて、物品番号およびチェック時刻を記憶する物品情報記憶ステップと、
所定時間内に生徒側の前記持参品チェック端末から収集された物品データを集計し、一定割合以上の生徒が持参する物品を必須持参品と認定する必須持参品認定ステップと、
前記必須持参品ステップで認定した物品が持参品として欠落が判明した生徒に対し、生徒または親が所持する携帯端末、あるいは前記持参品チェック端末に忘れ物として通知する忘れ物情報通知ステップと、
を有することを特徴とする持参品管理方法。
【請求項２】
インターネットを介して生徒側の持参品チェック端末と接続し、該持参品を管理する持参品管理サーバにおける持参品管理プログラムであって、
コンピュータに、
生徒が学校に登校する以前に、前記持参品チェック端末から、物品に備わる電子タグの読取情報を取得する持参品情報取得ステップと、
前記持参品情報取得ステップで取得した持参品データをもとに、生徒毎に、生徒識別子を添えて、物品番号およびチェック時刻を記憶する物品情報記憶ステップと、
所定時間内に生徒側の前記持参品チェック端末から収集された物品データを集計し、一定割合以上の生徒が持参する物品を必須持参品と認定する必須持参品認定ステップと、
前記必須持参品ステップで認定した物品が持参品として欠落が判明した生徒に対し、生徒または親が所持する携帯端末、あるいは前記持参品チェック端末に忘れ物として通知する忘れ物情報通知ステップと、
を実行させる持参品管理プログラム。
【請求項３】
前記忘れ物情報通知ステップは、通知対象となる生徒の位置情報に基づき、通知先端末を決定することを特徴とする請求項１記載の持参品管理方法。
【発明の詳細な説明】
【技術分野】
【０００１】
本発明は、小中学生等の学校の生徒が毎日通学する際の持参品に関し、持参する物品に電子タグを付与し、該電子タグの読取情報を事前にインターネットを介して収集して管理し、忘れ物があった場合に、生徒側に通知する持参品管理技術に関する。
【背景技術】
【０００２】
小中学生などの学校の生徒が、毎日、学校に通学するときは、その曜日や当日のイベントに合わせた持参品を毎日選択し、持参する必要がある。
【０００３】
一方、近年、移動する物品にＲＦＩＤ（Radio Frequency Identification）タグ( 例えば、非特許文献１参照）等の電子タグを取り付け、物品（製品）を出荷／入荷する際に、タグリーダで読み取りサーバで物品を管理することが一般に普及し出しており、図書館の書籍の貸し出しシステムや物流分野の製品在庫管理等への適用の提案がなされている（例えば、特許文献１参照）。
【０００４】
このＲＦＩＤのような電子タグ技術を、上記学校生徒持参品の管理に適用しようとすると、まず、持参品に取り付けたＩＣタグから取得した情報と、予め登録された持参品マスタ情報と照合することで持参品チェックを行うことが考えられる。
【０００５】
しかしながら、多様化する教育現場においては、その都度持参品が異なる場合が少なくなく、生徒に持参を指示する教師がその都度持参品マスタを更新する手間があった。また、教師が授業中に思いつきで持参指示した物を持参品マスタに登録し忘れることもあった。その他、教師からの指示でなく生徒間の申し合わせにより持参する物を登録する場合、生徒へのマスタ登録権限付与の手間も生じていた。
【非特許文献１】情報処理学会論文誌「情報処理」Ｖｏｌ．４０，Ｎｏ．８，ｐｐ８４６〜８５０，Ａｕｇ．１９９９
【特許文献１】特開２０００−２３５６００号公報（２〜３頁）
【発明の開示】
【発明が解決しようとする課題】
【０００６】
そこで、本発明では、登校する当日、学校に持参する物品に関し、生徒が学校に着いてから忘れ物に気づくという問題と、持参品マスタ保守の煩雑さを解消することを目的として、学校側で生徒毎に持参品リストを予め作成／登録しなくても、当日の忘れ物をチェックできるシステムを提供する。
【課題を解決するための手段】
【０００７】
第一の発明は、インターネットを介して生徒側の持参品チェック端末と接続し、該持参品を管理する持参品管理サーバにおける持参品管理方法であって、生徒が学校に登校する以前に、前記持参品チェック端末から、物品に備わる電子タグの読取情報を取得する持参品情報取得ステップと、前記持参品情報取得ステップで取得した持参品データをもとに、生徒毎に、生徒識別子を添えて、物品番号およびチェック時刻を記憶する物品情報記憶ステップと、所定時間内に生徒側の前記持参品チェック端末から収集された物品データを集計し、一定割合以上の生徒が持参する物品を必須持参品と認定する必須持参品認定ステップと、前記必須持参品ステップで認定した物品が持参品として欠落が判明した生徒に対し、生徒または親が所持する携帯端末、あるいは前記持参品チェック端末に忘れ物として通知する忘れ物情報通知ステップとを有することを特徴とする持参品管理方法に関する。
【０００８】
すなわち、第一の発明によれば、持参品管理サーバにおいて、持参品情報取得手段が、生徒側の持参品チェック端末で物品に備わった電子タグを読み取った情報をインターネットを介して取得し、物品情報記憶手段が、この取得データを、生徒毎に、生徒識別子とともに物品番号およびチェック時刻を記憶装置に記憶させ、必須持参品認定手段が、所定時間内に収集された持参品データをグループあるいはクラス等の所属の単位で集計し、一定の割合以上の物品をその所属単位での必須持参品と認定し、忘れ物情報通知手段が、該必須持参品と照らし合わせて当該物品を所持しない生徒に対して、忘れ物を警告するメッセージを、生徒のまたは親の所持する携帯端末、あるいは持参品チェック端末に通知することによって、生徒が学校に登校する前に忘れ物を気づかせる方法を提供する。
【０００９】
第二の発明は、前記忘れ物情報通知ステップは、通知対象となる生徒の位置情報に基づき、通知先端末を決定することを特徴とする上記第一の発明に記載の持参品管理方法に関する。
【００１０】
すなわち、第二の発明によれば、忘れ物情報通知手段が、忘れ物ありと判定された通知対象となる生徒に対し、生徒が所持する携帯電話等携帯端末で特定される位置情報に基づいて、生徒または親の携帯端末、あるいは持参品チェック端末などの通知先端末を選んで、注意を促す電子メールメッセージを送信することによって、学校開始間際まで追跡し、通知することが可能となり、忘れ物に対する処置をより万全とすることができる。
【発明の効果】
【００１１】
上記してきた本発明によれば、以下の通りの効果が得られる。
【００１２】
本発明によって、とくに事前に持参品マスタを準備しなくても、当日の忘れ物をチェックすることが出来る。また、忘れ物をした場合でも、生徒が取りに帰る等の適切な対応を行うことができる。すなわち、予め登録する持参品マスタでなく、生徒の持参品情報から忘れ物をチェックできることにより、先生が、持参品マスタを準備する手間を省くことができると同時に、グループやクラスなど所属単位で、前日に急に変更があったりした場合などに臨機応変な対応が可能となる。
【発明を実施するための最良の形態】
【００１３】
上記したように、学校の生徒が登校する迄に、持参品に取り付けたＲＦＩＤタグ等の電子タグの物品情報をリーダで読み取って忘れ物をチェックする本発明の持参品管理システムに関して、以下、図面にもとづいて本発明の実施形態を説明する。
【００１４】
図１は、本発明の実施の形態になる持参品管理システムの基本構成を示す。本発明のシステムは、学校側に設置され、記憶装置１０を備える持参品管理サーバ１と、生徒側の各家庭に設置され、持参品（教科書、ノート、体操着、楽器等、学校に持参する物品）のそれぞれに取り付けられたＲＦＩＤタグを読み取るＲＦＩＤタグリーダ２０を備える持参品チェック端末２とがインターネット４を介して接続される。
【００１５】
また、記憶装置１０には、読取可能時間帯テーブル１０１、持参品情報テーブル１０２、物品グループテーブル１０３、必須持参品テーブル１０４、忘れ物情報テーブル１０５、生徒情報テーブル１０６、およびクラス情報テーブル１０７が記憶される。
【００１６】
さらに、持参品チェックの結果、忘れ物が判明した時に、生徒側が、登校途中で持参品管理サーバ１からの忘れ物情報の通知を受ける手段としては、前記持参品チェック端末２の他に、生徒または親が所持する携帯電話、ＰＤＡ（Personal Digital Assistants ）等の携帯端末３が用意される。
【００１７】
また、持参品管理サーバ１は、学校に設置するのではなく、教育機関に設置したり、あるいは外部機関にアウトソーシングすることも可能である。
【００１８】
図２は、本発明の実施の形態になる持参品管理サーバの構成を示す。持参品管理サーバ１は、生徒側にある持参品チェック端末２からの持参品のＲＦＩＤタグ等の電子タグの読取情報を受信する読取情報取得手段１１と、取得した持参品情報を記憶装置１０へ、生徒毎に、個人識別子を添えて、物品番号およびチェック時刻を記録する持参品情報記憶手段１２と、所定時間内に生徒側の持参品チェック端末２から収集された物品データを学校の生徒が所属するクラスあるいはグループ等の所属単位で集計し、生徒の所属単位において、一定割合以上の生徒が持参する物品を必須持参品と認定する必須持参品認定手段１３と、および前記必須持参品手段で認定した物品が持参品として欠落が判明した生徒に対し、生徒または親が所持する携帯電話等携帯端末３、あるいは持参品チェック端末２に忘れ物として通知する忘れ物情報通知手段１４とを有する。
【００１９】
さらに、記憶装置１０は、持参品情報テーブル１０２、生徒情報テーブル１０６等持参品管理のための情報テーブルを有する。
【００２０】
ここで、持参品管理サーバ１は、コンピュータであり、読取情報取得手段１１、持参品情報記憶手段１２、必須持参品認定手段１３、および忘れ物情報通知手段１４の各処理手段は、該コンピュータ上であらかじめ内蔵されたプログラムが実行されることによって実現されるものである。そして、当該プログラムは、フレキシブルディスク、コンパクトディスク、ＲＯＭ等のコンピュータ読み取り可能な記録媒体に記録され、また、とくに、図には示していないが、内蔵あるいは外部接続された媒体読取装置にセットし、インストールすることによって実行可能な状態としてもよい。
【００２１】
図３は、本発明の実施の形態になる持参品の読取可能時間帯テーブルの例を示す。読取可能時間帯テーブル１０１は、「クラス番号」、「読取ＳＴＡＲＴ」、「読取ＥＮＤ」、「通知ＳＴＡＲＴ」、および「通知ＥＮＤ」の項目を有する複数のレコードで構成されている。
【００２２】
「クラス番号」は、生徒が所属するグループの番号であり、「読取ＳＴＡＲＴ」および「読取ＥＮＤ」は、持参品管理サーバ１が、生徒／親の家に設置されている持参品チェック端末２からの持参品情報について読取可能な時間帯を示しており、また「通知ＳＴＡＲＴ」および「通知ＥＮＤ」は、持参品管理サーバ１が、忘れ物が判明した段階で、生徒や親の所持する携帯電話等携帯端末３に電子メール等によるメッセージ通知を行う時間帯を示している。
【００２３】
忘れ物をチェックする本システムは、あるグループ（同クラス等）に属する生徒の持参品について、指定時間内にＲＦＩＤタグ等の電子タグ情報を読み取り、生徒ごとに物品番号、識別子、読取時刻等をサーバに記憶する。グループの一定割合（例えば９０％）以上の生徒に読み取られた物品を必須持参品と認定し、その必須持参品の電子タグの情報を読み取らなかった生徒について、その物品を忘れ物と判断する。そして、忘れ物ありと判断された生徒に対して、携帯端末３や持参品チェック端末２等にその旨を電子メール等のメッセージによって通知する仕組みとしている。
【００２４】
本発明では、この電子タグ情報の読取可能時間帯や通知方法の設定に応じて、以下複数の運用パターンが可能である。
【００２５】
実施例では、忘れ物情報通知の時間帯として以下の２つのパターンを取り上げる。
パターン１：  生徒は前夜に必ず持参品チェックを行う運用とし、例えば、図３の読取時間帯テーブル１０１におけるレコード２０１に示すように、生徒の持参品情報の読取可能時間帯を前日２０：００〜当日０５：００（登校前夜〜起床前）に設定した場合、通知ＳＴＡＲＴ時刻０６：００に、バッチ処理にて集計を行い、忘れ物のある生徒に対して、持参品チェック端末２や携帯端末３に「○○を忘れていませんか？」等の通知を行う。
パターン２：  生徒は前夜に限らず始業時刻迄に持参品チェックを行う運用とし、例えば、図３の読取時間帯テーブル１０１におけるレコード２０２に示すように、読取可能時間帯を前日２０：００〜当日０８：３０（登校前夜〜授業開始前）に設定した場合、まずは、パターン１のバッチ処理により、０６：００に一次の集計および通知を行う。その後、生徒の持参品情報の読取可能時間帯テーブル１０１の読取ＥＮＤ時刻迄の間に行われた持参品読取処理をトリガーに、その度に集計処理および通知処理を繰り返す。
【００２６】
忘れ物情報の通知の仕方としては、１）忘れ物判明時刻が、その生徒が家に忘れ物を取りに戻れる場合は生徒の携帯端末３へ通知し、２）そうでない場合は、親等の携帯端末３あるいは持参品チェック端末２へ通知するようにする。
【００２７】
そして、取りに戻れるか否かの判断は、忘れ物判明時刻の生徒の位置情報を元に取りに帰る時間を計算し、それに生徒の通学標準時間を加えた時間を忘れ物判明時刻に加算して、その時刻が学校の始業時刻より前か後かで判断する。
【００２８】
図４は、本発明の実施の形態になる持参品情報テーブルおよび物品グループテーブルの例を示す。
【００２９】
図４（ａ）の持参品情報テーブル１０２は、「生徒番号」、「クラス番号」、「チェック対象日付」、「物品グループ番号」、「物品番号」、および「読取日時」の項目を有する複数のレコードで構成されている。「生徒番号」および「クラス番号」は、学校の生徒の識別番号および生徒の属するグループの識別番号、「チェック対象日付」は、忘れ物をチェックする登校日、「物品グループ番号」は、同一用途の物品でもメーカや規格が異なったときに同一物品として扱うグループの番号、「物品番号」は、持参品の各々の識別番号、および「読取日時」は、持参品チェック端末２で読み取った電子タグ情報を取り込む読取日時を示している。
【００３０】
図４（ｂ）の物品グループテーブル１０３は、「物品グループ番号」、「総称物品名」、「物品番号」、および「物品名」の項目に対する複数のレコードで構成されている。例えば、水泳着は、物品番号１１２２３３４４の男性用と物品番号４４５５６６７７の女性用とがあり、水彩画セットは、物品番号８８３３４４６６の○○製と物品番号８８３３４４７８の△△製とがあるというように、「物品グループ番号」は、それらを括った同一の番号、すなわち、「総称物品名」は水泳着および水彩画セットとし、各々００２３４５６７、００８８９９２２の番号が付与される。
【００３１】
図５は、本発明の実施の形態になる必須持参品テーブルおよび忘れ物情報テーブルの例を示す。
【００３２】
図５（ａ）の必須持参品テーブル１０４は、「チェック対象日付」、「クラス番号」、「物品グループ番号」、および「持参率」の項目を有する複数のレコードで構成されている。ここで、「持参率」は、生徒からの持参品の読取データの集計結果をチェック済件数に対する同一「物品グループ番号」の件数をパーセントで表したものである。
【００３３】
上記の例において、図には示していないが、「チェック完了率」の値が一定割合以上の場合のみ処理を行うように制限をかけることも可能である。
【００３４】
図５（ｂ）の忘れ物情報テーブル１０５は、「生徒番号」、「クラス番号」、「チェック対象日付」、および「物品グループ番号」の項目に対する複数のレコードで構成されている。（ａ）の必須持参品テーブル１０４の持参率が、ある一定値以上のときに忘れ物チェック対象物品と判定され、その「物品グループ番号」が、（ｂ）の忘れ物情報テーブル１０５の生徒番号に付加してリストアップされる。
【００３５】
図６は、本発明の実施の形態になる生徒情報テーブルおよびクラス情報テーブルの例を示す。
【００３６】
図６（ａ）の生徒情報テーブル１０６は、「生徒番号」、「クラス番号」、「名前」、「住所」、「学校名」、「始業時刻」、「標準通学時間」、「携帯アドレス」、「親の携帯アドレス」、および「チェック済」の項目を有する複数のレコードで構成されている。「標準通学時間」は、登校途中にある生徒が、忘れ物情報の通知を携帯電話等携帯端末３で受けたときに始業時間までに戻れるかの目安を与えるものとなる。また、「携帯アドレス」および「親の携帯アドレス」は、持参品管理サーバ１から忘れ物情報として電子メール等による通知をするときのメールアドレスである。「チェック済」は、生徒毎に、読取チェックがなされれば、チェック済フラグ”１”をたてる。
【００３７】
図６（ｂ）のクラス情報テーブル１０７は、「クラス番号」、「クラス名称」、「クラス人数」、「必須持参率」、「男子数」、「女子数」、および「チェック済数」の項目に対する複数のレコードで構成されている。実施例では、３年２組の「必須持参率」は、９０パーセントに設定され、「チェック済数」は、３６人中の３２人となっている。
【００３８】
以下に、本発明の持参品管理システムにおける忘れ物チェックの処理動作について、図７〜図１２のフローチャートを用いて詳述する。
【００３９】
図７は、本発明の実施の形態になる忘れ物チェックの処理フロー( パターン１) を示す。本例は、図３におけるパターン１、例えば、生徒が前夜２０：００〜当日５：００までに持参品チェックを行い、当日６：００に通知を行うケースを扱う。
【００４０】
持参品管理サーバ１において、まず、ステップＳ１１で、読取情報取得手段１１が、生徒側の持参品チェック端末２において読み取った持参品情報を、インターネット４を介して取得し、持参品情報記憶手段１２が、逐次収集したデータを持参品情報テーブル１０２に格納する。ステップＳ１２において、読取可能な時間内であるかを判定し、予め設定した所定の時間まで、生徒の持参品チェック端末２からの持参品情報の収集を繰り返す。
【００４１】
つぎに、ステップＳ１３において、必須持参品認定手段１３が、所定の読取可能時間帯で収集した持参品情報テーブル１０２をもとにバッチで集計処理を行い、物品の持参率を計算し、ステップＳ１４において、その値が一定値（図６（ｂ）のクラス情報テーブル１０７の必須持参率）以上である場合に必須持参品と判断し、ステップＳ１５において、この必須持参品を持たない生徒に対して、忘れ物情報通知手段１４が、生徒情報テーブル１０６を参照して、登校途中にある生徒または親の携帯端末３、あるいは持参品チェック端末２へ電子メール等によって通知を行う。
【００４２】
図８は、本発明の実施の形態になる忘れ物チェックの処理フロー( パターン２) を示す。本例は、図３におけるパターン２、例えば、生徒が前夜２０：００〜当日始業時刻８：３０までに持参品チェックを行い、同時に当日６：００から始業前まで通知を随時行うケースを扱う。
【００４３】
パターン１の場合と同様に、持参品管理サーバ１において、まず、ステップＳ２１で、読取情報取得手段１１が、生徒側の持参品チェック端末２において読み取った持参品情報を、インターネット４を介して取得し、持参品情報記憶手段１２が、逐次収集したデータを持参品情報テーブル１０２に格納する。ステップＳ２２において、読取可能な時間内であるかを判定し、予め設定した所定の時間まで、生徒の持参品チェック端末２からの持参品情報の収集を繰り返す。
【００４４】
そして、ステップＳ２３において、必須持参品認定手段１３が、所定の読取可能時間帯で収集した持参品情報テーブル１０２をもとに、バッチで一次の集計処理を行い、物品の持参率を計算し、ステップＳ２４において、その値が一定値以上である場合に必須持参品と判断し、ステップＳ２５において、この必須持参品を持たない生徒に対して、忘れ物情報通知手段１４が、生徒情報テーブル１０６を参照して、登校途中にある生徒または親の携帯端末３、あるいは持参品チェック端末２へ電子メール等によって通知を開始する。
【００４５】
以下のステップＳ２６以降は、持参品情報の読み込みを続行すると同時に、随時集計して生徒側に通知を行うステップとなる。
【００４６】
ステップＳ２６において、持参品チェック端末２からの持参品情報の読取を続行し、ステップＳ２７において、随時集計処理を行い、物品の持参率を求め、ステップＳ２８で、その値が一定値以上である場合に必須持参品と認定し、ステップＳ２９で、該必須持参品を持たない生徒を判定して、該当する生徒に対して、忘れ物情報通知手段１４が、生徒情報テーブル１０６を参照して、登校途中にある生徒または親の携帯端末３、あるいは持参品チェック端末２へ電子メール等によって通知を行う。ステップＳ３０において、これらの一連の処理を始業時間前まで続行する。
【００４７】
図９は、本発明の実施の形態になる持参品読取処理のフローチャートを示す。生徒の家に設置された持参品チェック端末２からは物品に取り付けられたＲＦＩＤタグ等電子タグの読取情報が、持参品管理サーバ１において、インターネット４を介してオンラインで取り込まれる。
【００４８】
まず、ステップＳ４１において、読取可能時間帯を判定し、読取時刻が予め設定された読取可能時間の範囲にあれば、ステップＳ４２に進み、生徒の用意した持参品を物品のタグより、一括して全部読み取り、全ての物品とその時の読取日付、時刻及びチェック対象日付・生徒番号・クラス番号を持参品情報テーブル１０２に作成する。つぎに、ステップＳ４３において、クラス情報テーブル１０７の「チェック済数」をプラス１にするとともに、ステップＳ４４において、生徒情報テーブル１０６の該当生徒番号の「チェック済」のフラグに“1 ”を設定する。
【００４９】
図１０は、本発明の実施の形態になる忘れ物情報テーブル作成の処理フローを示す。本処理フローは、チェック対象日付の各クラス番号単位で行う。まず、同一用途の物品でもメーカや規格が異なっていても、同一物品として扱う為の処理として、ステップＳ５１において、持参品情報テーブル１０２の「物品番号」から物品グループテーブル１０３を参照し、「物品グループ番号」を算出し、持参品情報テーブル１０２を更新する。
【００５０】
つぎに、ステップＳ５２において、持参品情報テーブル１０２から同一の「物品グループ番号」の物品数を算出する。そして、ステップＳ５３で、クラス情報テーブル１０７から「チェック済数」の件数を取得する。つぎに、ステップＳ５４において、同一物品グループ番号の件数とチェック済み件数から、持参率を計算し、必須持参品テーブル１０４を更新する。持参率は、同一の「物品グループ番号」の件数／「チェック済数」の件数×１００によって算出される。
【００５１】
さらに、ステップＳ５５において、必須持参品テーブル１０４の持参率がクラス情報テーブルの「必須持参率」以上となっている物品は、忘れ物チェック対象物品と認定する。持参品テーブルの中で、該当物品を持参していない生徒を抽出し、その生徒について忘れ物有りと判定して忘れ物情報テーブル１０５にレコードを追加する。
【００５２】
図１１は、本発明の実施の形態になる忘れ物情報に関する通知処理のフローチャート（その１）を示す。本例では、通知メッセージの作成のフローを示す。また、本フローでは、チェック対象日付の各クラス番号単位における、ある生徒１件を処理するフローとしている。
【００５３】
まず、ステップＳ６１において、生徒情報テーブル１０６から、該当クラスの生徒情報を１件取り出し、ステップＳ６２で、生徒情報テーブル１０６のチェック済フラグが立っているかを判定する。フラグが”１”であれば、ステップＳ６３に進み、忘れ物情報テーブル１０５から、該当生徒の情報を検索する。そして、ステップＳ６４において、該当する物品があるかを判定する。該当物品があれば、ステップＳ６５で、物品グループテーブル１０３より、総称物品名を取得し、「〇〇を忘れていませんか? 」というメッセージを作成する。
【００５４】
また、ステップＳ６４で、該当する物品がなければ、ステップＳ６８において、生徒が持参品読取理を行ったが忘れ物が判明していないと判断し、「現時点では忘れ物はありません」というメッセージを作成する。
【００５５】
また、ステップＳ６２で、生徒情報テーブル１０６のチェック済フラグが”１”でなければ、ステップＳ６７において、生徒がまだ持参品読取処理を行っていないと判断し、「持参品読取処理を行って下さい」というメッセージを作成する。
【００５６】
そして、ステップＳ６６において、以上で作成されたメッセージを生徒または親の所持する携帯端末３（携帯電話、ＰＤＡ等）、あるいは持参品チェック端末２に通知する。
【００５７】
図１２は、本発明の実施の形態になる忘れ物情報に関する通知処理のフローチャート（その２）を示す。本例では、始業時刻に対応した通知先の振り分けのフローを示す。
【００５８】
まず、ステップＳ７１において、忘れ物情報テーブル１０５から生徒情報を取り出す。つぎに、ステップＳ７２において、忘れ物判明時刻の生徒の位置情報を元に取りに帰る時間(a) を計算し、(a) に生徒の標準通学時間(b) を加えた時間を忘れ物判明時刻T に加算して、その時刻が学校の始業時刻より前か後かを判別する。
【００５９】
Ａ：学校の始業時刻
Ｂ：取りに帰って学校に到着
する時刻
Ｂ＝T+(a)+(b) 
そして、ステップＳ７３において、Ａ＞Ｂの判定、すなわち、登校途中の生徒が忘れ物の通知を受けて、家に取りに帰っても間に合うか否かを判定する。
【００６０】
家に帰る時間があれば、ステップＳ７５において、生徒の携帯端末に、通知処理で作成した「〇〇を忘れていませんか? 」というメッセージを通知する。また、帰っても始業時間に間に合わなければ、ステップＳ７４において、親の携帯端末に、通知処理で作成した同様のメッセージを通知する。
【００６１】
図１３は、本発明の実施の形態になる忘れ物情報の通知画面の例を示す。例えば、「〇〇学校持参品チェック結果通知」というタイトルで、サブの属性情報としては、「鈴木  稔さん（３年２組）、２００３／８／２０持参情報、２００３／８／２０  ７：００チェック実施」と表示した上で、「以下は忘れ物ではありませんか？  □体操着  □ハーモニカ」等の電子メールメッセージとして通知を行う。
【００６２】
以上の上記してきた実施例では、生徒側の持参品チェック端末２に備わる固定した場所の電子タグ読取装置を前提に述べてきたが、物品を持ち歩く生徒に、携帯電話やＰＤＡ等の簡易な携帯端末を所持させ、これらの携帯端末に電子タグの読取装置（ＲＦＩＤタグリーダ等の電子タグリーダ）を内蔵させることも可能である。このことによって、生徒の携帯端末とサーバの持参品管理装置は場所を選ばないネットワーク環境となり、サーバ側は、生徒側の携帯する端末から持参品の情報を吸い上げることができ、かつ忘れ物が判明したときに、携帯端末に忘れ物情報のメッセージを通知することが可能となる。
【００６３】
以上述べてきた本発明の実施の態様は、以下の付記に示す通りである。
（付記１）  インターネットを介して生徒側の持参品チェック端末と接続し、該持参品を管理する持参品管理サーバにおける持参品管理方法であって、
生徒が学校に登校する以前に、前記持参品チェック端末から、物品に備わる電子タグの読取情報を取得する持参品情報取得ステップと、
前記持参品情報取得ステップで取得した持参品データをもとに、生徒毎に、生徒識別子を添えて、物品番号およびチェック時刻を記憶する物品情報記憶ステップと、
所定時間内に生徒側の前記持参品チェック端末から収集された物品データを集計し、一定割合以上の生徒が持参する物品を必須持参品と認定する必須持参品認定ステップと、
前記必須持参品ステップで認定した物品が持参品として欠落が判明した生徒に対し、生徒または親が所持する携帯端末、あるいは前記持参品チェック端末に忘れ物として通知する忘れ物情報通知ステップと、
を有することを特徴とする持参品管理方法。
（付記２）  インターネットを介して生徒側の持参品チェック端末と接続し、該持参品を管理する持参品管理サーバにおける持参品管理プログラムであって、
コンピュータに、
生徒が学校に登校する以前に、前記持参品チェック端末から、物品に備わる電子タグの読取情報を取得する持参品情報取得ステップと、
前記持参品情報取得ステップで取得した持参品データをもとに、生徒毎に、生徒識別子を添えて、物品番号およびチェック時刻を記憶する物品情報記憶ステップと、
所定時間内に生徒側の前記持参品チェック端末から収集された物品データを集計し、一定割合以上の生徒が持参する物品を必須持参品と認定する必須持参品認定ステップと、
前記必須持参品ステップで認定した物品が持参品として欠落が判明した生徒に対し、生徒または親が所持する携帯端末、あるいは前記持参品チェック端末に忘れ物として通知する忘れ物情報通知ステップと、
を実行させる持参品管理プログラム。
（付記３）  インターネットを介して生徒側の持参品チェック端末と接続し、該持参品を管理する持参品管理サーバであって、
生徒が学校に登校する以前に、前記持参品チェック端末から、物品に備わる電子タグの読取情報を取得する持参品情報取得手段と、
前記持参品情報取得手段で取得した持参品データをもとに、生徒毎に、生徒識別子を添えて、物品番号およびチェック時刻を記憶する物品情報記憶手段と、
所定時間内に生徒側の前記持参品チェック端末から収集された物品データを集計し、一定割合以上の生徒が持参する物品を必須持参品と認定する必須持参品認定手段と、
前記必須持参品手段で認定した物品が持参品として欠落が判明した生徒に対し、生徒または親が所持する携帯電話、あるいは前記持参品チェック端末に忘れ物として通知する忘れ物情報通知手段と、
を有することを特徴とする持参品管理サーバ。
（付記４）  前記忘れ物情報通知ステップは、通知対象となる生徒の位置情報に基づき、通知先端末を決定することを特徴とする付記１記載の持参品管理方法。
【図面の簡単な説明】
【００６４】
【図１】本発明の実施の形態になる持参品管理システムの基本構成を示す図である。
【図２】本発明の実施の形態になる持参品管理サーバの構成を示す図である。
【図３】本発明の実施の形態になる持参品の読取可能時間帯テーブルの例を示す図である。
【図４】本発明の実施の形態になる持参品情報テーブルおよび物品グループテーブルの例を示す図である。
【図５】本発明の実施の形態になる必須持参品テーブルおよび忘れ物情報テーブルの例を示す図である。
【図６】本発明の実施の形態になる生徒情報テーブルおよびクラス情報テーブルの例を示す図である。
【図７】本発明の実施の形態になる忘れ物チェックの処理フロー（パターン１）を示す図である。
【図８】本発明の実施の形態になる忘れ物チェックの処理フロー（パターン２）を示す図である。
【図９】本発明の実施の形態になる持参品読取処理のフローチャートを示す図である。
【図１０】本発明の実施の形態になる忘れ物情報テーブル作成の処理フローを示す図である。
【図１１】本発明の実施の形態になる忘れ物情報に関する通知処理のフローチャート（その１）を示す図である。
【図１２】本発明の実施の形態になる忘れ物情報に関する通知処理のフローチャート（その２）を示す図である。
【図１３】本発明の実施の形態になる忘れ物情報の通知画面の例を示す図である。
【符号の説明】
【００６５】
１    持参品管理サーバ
２    持参品チェック端末
３    携帯端末
４    インターネット
１０    記憶装置
１１    読取情報取得手段
１２    持参品情報記憶手段
１３    必須持参品認定手段
１４    忘れ物情報通知手段
２０    ＲＦＩＤタグリーダ
１０１    読取可能時間帯テーブル
１０２    持参品情報テーブル
１０３    物品グループテーブル
１０４    必須持参品テーブル
１０５    忘れ物情報テーブル
１０６    生徒情報テーブル
１０７    クラス情報テーブル
【図１】
2005115539.tif 000003
【図２】
2005115539.tif 000004
【図３】
2005115539.tif 000005
【図４】
2005115539.tif 000006
【図５】
2005115539.tif 000007
【図６】
2005115539.tif 000008
【図７】
2005115539.tif 000009
【図８】
2005115539.tif 000010
【図９】
2005115539.tif 000011
【図１０】
2005115539.tif 000012
【図１１】
2005115539.tif 000013
【図１２】
2005115539.tif 000014
【図１３】
2005115539.tif 000015